(57)【要約】      （修正有）【課題】商品陳列棚を雛壇状に組立可能な簡単な構成の商品陳列用什器を提供すること。【解決手段】商品陳列用什器１の商品陳列棚３を、商品収容器２の左右に離れて互いに対向する一対の側壁部材と、一対の側壁部材の間に介装されて一対の側壁部材を互いに連結し、商品収容器２が載せられる連結部材によって構成する。そして、側壁部材には、側壁部材の上下方向に貫通する第１係止穴３５ａと、側壁部材の上方に向かって突出する突起部３６が設けられ、第１係止穴３５ａと突起部３６の水平方向の位置はトレイに前後一列に収納する商品の前後方向の厚さ分ずらされている。【選択図】図３
0003139957.tif 000002
【実用新案登録請求の範囲】
【請求項１】
複数の商品を前後に整列させて列の前方に向かって付勢した状態で収容可能な商品収容器と、
該商品収容器を装着することによって前記商品を前記商品収容器に収容された状態で陳列する商品陳列棚と、を有する商品陳列用什器において、
前記商品陳列棚は、
前記商品収容器の左右に離れて互いに対向する一対の側壁部材と、
該一対の側壁部材の間に介装されて前記一対の側壁部材を互いに連結し、前記商品収容器が載せられる連結部材と、を有し、
前記一対の側壁部材は、
該側壁部材の上下方向に貫通する第１係止穴と、
該側壁部材の上方に向かって突出し、該側壁部材の上部に他の側壁部材を積み重ねることによって該他の側壁部材の第１係止穴に挿入可能な突起部と、を有し、
前記第１係止穴は、前記突起部に対して水平方向に所定の間隔だけ前方にずれて設けられていることを特徴とする商品陳列用什器。
【請求項２】
前記第１係止穴と前記突起部との水平方向の間隔は、前記トレイに整列して収容される前記商品の整列方向の厚さと略等しいことを特徴とする請求項１に記載の商品陳列用什器。
【請求項３】
前記側壁部材は、前記突起部の鉛直方向下部に、前記第１係止穴と並んで設けられた第２係止穴を有することを特徴とする請求項１又は２に記載の商品陳列用什器。
【請求項４】
前記側壁部材は、前記第２係止穴を中心にして、前記第１係止穴と前記第２係止穴との間隔に等しい距離だけ後方位置に、第３係止穴を設けたことを特徴とする請求項１〜３の何れか１項に記載の商品陳列用什器。
【請求項５】
前記側壁部材の突起部は、該側壁部材の上下方向に細長い平板状であって、且つ該平板状の突起部の短辺側には曲率が設けられており、他の側壁部材が積み重ねられたときに該他の側壁部材の第１〜第３係止穴の何れか１つの係止穴の内壁面に接面するように構成されていることを特徴とする請求項１〜４の何れか１項に記載の商品陳列用什器。
【請求項６】
前記側壁部材の突起部の先端は、丸み加工が施されていることを特徴とする請求項１〜５の何れか１項に記載の商品陳列用什器。
【請求項７】
最下部の前記商品陳列棚は足場を有することを特徴とする請求項１〜６の何れか１項に記載の商品陳列用什器。
【請求項８】
前記足場は、細長い長方形状であり前後方向の長さが、雛壇状に重ねられた複数の商品陳列棚の最下段の商品陳列棚の前端から最上段の商品陳列棚の後端までの水平方向の距離に略等しいことを特徴とする請求項７に記載の商品陳列用什器。
【請求項９】
前記足場は、最下部の前記側壁部材の第１〜第３係止穴の何れか１つの係止穴に挿入可能な突起部を有し、着脱可能に構成されていることを特徴とする請求項７又は８に記載の商品陳列用什器。
【考案の詳細な説明】
【技術分野】
【０００１】
本考案は、商品陳列用什器、特にコンビニエンスストア等の店舗内に商品を前後一列に並べたものを数列、且つそれらを段重ねにして陳列する商品陳列用什器に関する。
【背景技術】
【０００２】
コンビニエンスストア等の店舗内には、商品陳列棚に複数個の商品が前後一列に並べられ、手前に位置する商品を取り出すと、残りの商品が商品陳列棚の奥から手前に向かって押し出されて、常に商品陳列棚の手前から商品を取り出すことを可能にする技術が種々提案されている。
【０００３】
例えば、特許文献１には、棚板を不要にして棚間の商品の有効陳列領域を増大でき、且つ商品の補充、点検作業及び商品の抜き取りを容易にした商品陳列棚が開示されている。
【０００４】
この特許文献１の商品陳列棚は、長尺部材と短尺部材を長方形状に組み立ててなる枠体と、枠体の長手方向に任意の間隔で配置され、且つ枠体の相対向する長尺部材間に差し渡し状態にして両長尺部材に着脱可能に取り付けられると共に整列して載置される商品を前方に移動する複数の前出し式商品陳列ユニットとを有する構成である。
【０００５】
従って、棚板が不要になると共に棚板間隔を変えることなしに棚間の商品の有効陳列領域を増大することができ、商品の補充、点検作業及び商品の抜き取りが容易になる。更に、商品陳列棚全体の商品の陳列収容効率を向上でき、各商品陳列棚に前後一列に並べられた商品は、手前に位置する商品を取り出すと、残りの商品が商品陳列棚の奥から手前に向かって押し出されて、常に商品陳列棚の手前から商品を取り出すことが可能になっている。
【０００６】
また、枠体を支柱にブラケットを介して支持する構成を有するため、複数の商品陳列棚を取り付けることが可能である。従って、商品陳列棚毎に商品の種類、銘柄等を変えて陳列した場合であっても、消費者は各商品陳列棚の先端部に位置する商品を見ることにより、目的とする商品の種類、銘柄等を素早く見分けることが可能である。
【０００７】
【特許文献１】特開平１１−３４６８７９号公報
【考案の開示】
【考案が解決しようとする課題】
【０００８】
しかしながら、上記特許文献１に記載された技術は、同一サイズの複数の商品陳列棚が支柱に垂直に取り付けられるために、下段にある商品陳列棚に収容されている商品は確認し難く、また取り出し難いという問題があった。即ち、商品陳列棚の先端部に位置する商品を見ることで商品の種類、銘柄等を見分けることが可能であるものの、各商品陳列棚が支柱に垂直に取り付けられているため、立った姿勢で下段の商品陳列棚を見ると、その上の段の商品陳列棚が邪魔をして先端部の商品が確認し難い、取り出し難いこととなる。
【０００９】
本考案は、上記の課題を解決するために為されたものであり、その目的は、商品陳列棚を雛壇状に組立可能な簡単な構成の商品陳列用什器を提供することにある。
【００１０】
上記目的を達成するため、請求項１に記載の商品陳列用什器は、複数の商品を前後に整列させて列の前方に向かって付勢した状態で収容可能な商品収容器と、該商品収容器を装着することによって前記商品を前記商品収容器に収容された状態で陳列する商品陳列棚と、を有する商品陳列用什器において、前記商品陳列棚は、前記商品収容器の左右に離れて互いに対向する一対の側壁部材と、該一対の側壁部材の間に介装されて前記一対の側壁部材を互いに連結し、前記商品収容器が載せられる連結部材と、を有し、前記一対の側壁部材は、該側壁部材の上下方向に貫通する第１係止穴と、該側壁部材の上方に向かって突出し、該側壁部材の上部に他の側壁部材を積み重ねることによって該他の側壁部材の第１係止穴に挿入可能な突起部と、を有し、前記第１係止穴は、前記突起部に対して水平方向に所定の間隔だけ前方にずれて設けられていることを特徴とする。
【００１１】
斯かる構成を採用することで、一対の側壁部材が連結部材によって連結され、その連結部材に商品収納器を載置した商品陳列棚が提供される。そして、その側壁部材には突起部と、その突起部が挿入可能な第１係止穴が、突起部に対して水平方向に所定の間隔だけ前方にずれて設けられているので、商品陳列棚を下段よりも上段が後方に位置する段差状に配置する、所謂雛壇状に構成することが可能となる。従って、商品陳列棚を雛壇状に組立可能な簡単な構成の商品陳列用什器が提供されることとなる。
【００１２】
請求項２に記載の商品陳列用什器は、請求項１に記載の商品陳列用什器において、前記第１係止穴と前記突起部との水平方向の間隔は、前記トレイに整列して収容される前記商品の整列方向の厚さと略等しいことを特徴とする。従って、雛壇状に構成する際に、商品陳列棚は商品１個分の厚さだけずらした雛壇状の構成が可能となり、各商品陳列棚の先端部の商品を効果的に確認することが可能であり、且つ取り出し易くなる。
【００１３】
請求項３に記載の商品陳列用什器は、請求項１又は２に記載の商品陳列用什器において、前記側壁部材は、前記突起部の鉛直方向下部に、前記第１係止穴と並んで設けられた第２係止穴を有することを特徴とする。従って、商品陳列用棚を垂直に重ねること、また変則的に重ねること、例えば下２段を垂直に上３段を雛壇状に重ねることが可能となる。
【００１４】
請求項４に記載の商品陳列用什器は、請求項１〜３の何れか１項に記載の商品陳列用什器において、前記側壁部材は、前記第２係止穴を中心にして、前記第１係止穴と前記第２係止穴との間隔に等しい距離だけ後方位置に、第３係止穴を設けたことを特徴とする。従って、商品陳列棚を構成する際に側壁部材の左右の区別をする必要はなく、左右共用とすることが可能である。故に、商品陳列棚は製造容易であり、素早く組み立てることが可能となる。
【００１５】
請求項５に記載の商品陳列用什器は、請求項１〜４の何れか１項に記載の商品陳列用什器において、前記側壁部材の突起部は、該側壁部材の上下方向に細長い平板状であって、且つ該平板状の突起部の短辺側には曲率が設けられており、他の側壁部材が積み重ねられたときに該他の側壁部材の第１〜第３係止穴の何れか１つの係止穴の内壁面に接面するように構成されていることを特徴とする。従って、突起部は割竹状の形状を有するので、上下の圧縮過重に対して折れ曲がり難くなり、繰り返しの使用に耐え得る。更に、突起部の曲率は第１〜第３係止穴の曲率と略同一であるので、突起部の側面は第１〜第３係止穴の内壁面に接面し、その結果、側壁部材同士の結合が強固なものとなる。
【００１６】
請求項６に記載の商品陳列用什器は、請求項１〜５の何れか１項に記載の商品陳列用什器において、前記側壁部材の突起部の先端は、丸み加工が施されていることを特徴とする。従って、側壁部材の突起部を他の側壁部材の第１〜第３係止穴に挿入する際に、挿入し易く且つ係止穴を傷付け痛める恐れが軽減し、更に、突起部で側壁部材の側面を傷つける恐れも軽減し、繰り返しの使用に耐え得る商品陳列用什器を提供できることとなる。
【００１７】
請求項７に記載の商品陳列用什器は、請求項１〜６の何れか１項に記載の商品陳列用什器において、最下部の前記商品陳列棚は足場を有することを特徴とする。従って、商品陳列棚を多段に雛壇状に構成した場合であっても、足板を最下部の側壁部材に取り付けることで、商品陳列用什器が後方に倒れることが防止される。
【００１８】
請求項８に記載の商品陳列用什器は、請求項７に記載の商品陳列用什器において、前記足場は、細長い長方形状であり前後方向の長さが、雛壇状に構成した複数の商品陳列棚の最下段の商品陳列棚の前端から最上段の商品陳列棚の後端までの水平方向の距離に略等しいことを特徴とする。従って、簡単な構成で足場が実現でき、然も商品陳列用什器が後方に倒れることが効果的に防止される。
【００１９】
請求項９に記載の商品陳列用什器は、請求項７又は８に記載の商品陳列用什器において、前記足場は、最下部の前記側壁部材の第１〜第３係止穴の何れか１つの係止穴に挿入可能な突起部を有し、着脱可能に構成されていることを特徴とする。従って、段数が少なく転倒防止用の足場が必要でない場合、若しくは商品の重量が軽く転倒防止用の足場が必要でない場合には、足場を取り外すことが可能である。
【考案の効果】
【００２０】
本考案の商品陳列用什器によれば、商品陳列棚を構成する一対の側壁部材に突起部と、その突起部が挿入可能な第１係止穴が、前述の突起部に対して水平方向に所定の間隔だけ前方にずれて設けられているので、商品陳列棚を雛壇状に組み立てることが可能である。
【考案を実施するための最良の形態】
【００２１】
以下、図面を参照しながら、本考案の商品陳列用什器を実施するための最良の形態について詳細に説明する。
【００２２】
本考案の商品陳列用什器は、たばこをたばこ箱単位で銘柄別に陳列するものであり、例えばコンビニエンスストアのレジカウンター等に設置されて使用されるものである。商品陳列用什器１は、たばこの銘柄毎に用意されて複数のたばこ箱Ｐが収容されるトレイ（商品収容器）２と、複数のトレイ２をたばこの銘柄別に並べて、たばこ箱Ｐをトレイ２に収容された状態で陳列する商品陳列棚３を備える。
【００２３】
図１は、本考案の商品陳列用什器１の商品陳列棚３の構成を説明する斜視図である。商品陳列棚３は、左右に離れて互いに対向する一対の側壁部材３１、３１と、一対の側壁部材３１、３１の間に介装されて、これら一対の側壁部材３１、３１を互いに連結する連結部材４１とを有する。
【００２４】
側壁部材３１は、鋼板をプレス形成したプレス成形品であり、略矩形状の開口部Ｋを有する平板形状を有し、前後に一定の幅で延在する下辺部３２ａ及び上辺部３２ｂと、下辺部３２ａの前部から上方に向かって一定幅で延在し上辺部３２ｂの前部と接続する前辺部３３ａと、下辺部３２ａの後部から上方に向かって一定幅で延在し上辺部３２ｂの後部と接続する後辺部３３ｂが形成されている。
【００２５】
前辺部３３ａの前端縁、下辺部３２ａの下端縁、後辺部３３ｂの後端縁、上辺部３２ｂの上端縁には、内方に向かって突出するようにフランジが形成されており、側壁部材３１の剛性が確保されている。
【００２６】
そして、側壁部材３１には、側壁部材３１の上下方向に貫通する第１係止穴３５ａ、第２係止穴３５ｂ、第３係止穴３５ｃと、側壁部材３１の上方に向かって突出する突起部３６が設けられている。第１係止穴３５ａ、第２係止穴３５ｂ、第３係止穴３５ｃは、下辺部３２ａの前部と後部に設けられており、突起部３６は、前辺部３３ａの上部と、後辺部３３ｂの上部（又は上辺部３２ｂの前部と後部）に設けられており、商品陳列棚３の上に他の商品陳列棚３を積み重ねた場合に、下段の商品陳列棚３の突起部３６が、上段の商品陳列棚３の第１係止穴３５ａ、又は第２係止穴３５ｂに挿入されて、上下２段の商品陳列棚３が互いに係止される。
【００２７】
ここで、第１係止穴３５ａと第２係止穴３５ｂとの間隔、及び第２係止穴３５ｂと第３係止穴３５ｃとの間隔は、トレイ２に整列して収容される商品、即ちタバコ箱Ｐの整列方向の厚さと略等しい。また、突起部３６の鉛直方向下部に第２係止穴３５ｂが設けられている。従って、下段の商品陳列棚３の突起部３６を、上段の商品陳列棚３の第１係止穴３５ａに挿入することによって、商品陳列棚３を雛壇状に積み重ねることができる。また、下段の商品陳列棚３の突起部３６を、上段の商品陳列棚３の第２係止穴３５ｂに挿入することによって、商品陳列棚３を垂直に積み重ねることができる。また、側壁部材３１に第３係止穴３５ｃを設けることによって、側壁部材３１により商品陳列棚を構成する場合に、左右の区別をすることなく左右共用で使用することができる。
【００２８】
側壁部材３１の突起部３６は、側壁部材３１の上下方向に細長い平板状であって、且つこの平板状の突起部の短辺側には曲率が設けられており、他の側壁部材３１が積み重ねられたときに、この他の側壁部材の第１係止穴３５ａ、又は第２係止穴３５ｂの何れか１つの係止穴の内壁面に接面するように構成されている。従って、突起部３６は割竹状の形状を有しているので、上下の圧縮過重に対して折れ曲がり難くなり、繰り返しの使用に耐え得る。更に、突起部３６の曲率は第１係止穴３５ａ及び第２係止穴３５ｂの曲率と同一であるので、突起部３６の側面は係止穴３５の内壁面に接面し、その結果、側壁部材３１同士の結合が強固なものとなる。
【００２９】
更に、側壁部材３１の突起部３６の先端は、丸み加工が施されている。従って、側壁部材３１の突起部３６を他の側壁部材３１の係止穴３６に挿入する際に、挿入し易く且つ係止穴３６を傷付け痛める恐れが軽減し、繰り返しの使用に耐え得る。更に、突起部３６にて側壁部材３１の側面を傷つける恐れも低減する。
【００３０】
また、側壁部材３１には、連結部材４１を取り付けるための取付孔３７が穿設されている。取付孔３７は、下辺部３２の前部と後部の２箇所に設けられており、下辺部３２ａの下端縁から同一の高さ位置に位置する。
【００３１】
連結部材４１は、金属製の円柱部材によって構成される。連結部材４１は、後述するトレイ本体１１の横幅の整数倍の長さと同一若しくは若干長い軸長の軸部４２を有し、軸部４２の両端部にねじ穴４３が各々螺設されている。この連結部材４１は、取付ねじ４５を側壁部材３１の取付穴３７に挿入させて、連結部材４１のねじ穴４３に螺入することによって、側壁部材３１に固定することができるようになっている。なお、連結部材４１は、軸部４２の長さがトレイ本体１１の横幅と同一若しくは若干長いものを、トレイ２の個数分だけ互いに螺合したものであっても良い。図１においては、連結部材４１は、トレイ本体１１の横幅と同一若しくは若干長いものを３本、互いに螺合したものである。
【００３２】
図２は、商品陳列用什器１のトレイ（商品収容器）２の構成を説明する図である。トレイ２は、同一銘柄の複数のたばこ箱Ｐを前後一列に整列させて、列の前方に向かって付勢した状態で収容可能な構成を有しており、トレイ本体１１と付勢手段２１によって構成される。
【００３３】
トレイ本体１１は、例えば透明のアクリル樹脂等の剛性樹脂材料によって構成されており、細長矩形の底面部１１Ａと、底面部１１Ａの一対の長辺からそれぞれ起立して互いに対向する左右の側面部１１Ｂ、１１Ｃと、底面部１１Ａの一方の短辺から起立する前面部１１Ｄ及び他方の短辺から起立する後面部１１Ｅを備えた細長矩形の深皿形状を有する。そして、底面部１１Ａの下面には、底面部１１Ａの長辺に沿ってトレイ本体１１の前後に延在するように一対のリブ１１Ｆ、１１Ｆが突設されている。
【００３４】
トレイ本体１１の大きさは、たばこ箱Ｐの横幅寸法よりも若干大きな距離を有して左右の側面部１１Ｂ、１１Ｃが対向し、たばこ箱Ｐを立てて前後一列に整列させて収容した場合に、タバコ箱Ｐの下部がトレイ本体１１内に収容される深さを有している。
【００３５】
トレイ本体１１の底面部１１Ａには、付勢手段２１の当接板２２をたばこ箱Ｐの配列方向であるトレイ本体１１の長手方向に摺動可能に支持するレール部１２と、付勢ばね２３の先端部２３ａを固定するばね固定部１３と、トレイ本体１１が商品陳列棚３の連結部材４１に載せられた状態で商品陳列棚３の連結部材４１に係合する係合部１４が形成されている。この係合部１４は、底面部１１Ａの下面に突設されたリブ１１Ｆの一部を切り欠いて構成されている。
【００３６】
レール部１２は、底面部１１Ａの左右方向略中央部にて底面部１１Ａの長手方向に延在するように形成された溝状の開口部によって構成されている。そして、ばね固定部１３は、レール部１２の前端部よりも前面部１１Ｄ寄りの位置において、底面部１１Ａから上方に向かって突設された小突起部によって構成されている。
【００３７】
付勢手段２１は、トレイ本体１１に収容されたたばこ箱Ｐを列の前方に向かって付勢するものであり、当接板２２と付勢ばね２３を有する。当接板２２は、例えばアセタールコポリマ等の合成樹脂材料によって構成されており、底面部１１Ａに沿うようにレール部１２に係合して摺動する摺動部２２ａと、摺動部２２ａから上方に向かって突出し、列最後のたばこ箱Ｐの背面に接面する平面状の当接面部２２ｂが形成されている。
【００３８】
付勢ばね２３は、巻き癖が付けられた渦巻き状の板ばねによって構成されていり、図示していない巻回部が当接面部２２ｂの背面側に配置され、巻回部から引き出された付勢ばね２３の先端部２３ａがばね固定部１３に固定されて、当接板２２をトレイ本体１１の前方に向かって付勢している。
【００３９】
図３は、本考案の商品陳列用什器１の使用状態の一例を示す図である。商品陳列用什器１を設置する際には、まず、商品陳列棚３を設置する設置場所の大きさと、トレイ２の所望個数に基づいて、商品陳列棚の横幅と、積み重ねる段数を決定し、次いで、斯かる構成に必要な数量だけ、側壁部材３１、連結部材４１、トレイ２を用意する。
【００４０】
例えば、図３に示すように、商品陳列棚３の横幅を、トレイ２が３個左右に並べられる大きさとし、商品陳列棚３を上下に４段積み重ねる構成に決定した場合には、８枚の側壁部材３１と、８本の連結部材４１と、１２個のトレイ２を用意する。
【００４１】
そして、一対の側壁部材３１、３１を左右に離間させて互いに対向させ、連結部材４１を一対の側壁部材３１、３１の前部間及び後部間に介装し、取付ねじ４５を螺入して１段目の商品陳列棚３が組み立てられる。
【００４２】
同様に、２段目の商品陳列棚３を組み立て、１段目の商品陳列棚３の上に２段目の商品陳列棚３を積み重ねて、１段目の商品陳列棚３の突起部３６を、２段目の商品陳列棚３の第１係止穴３５ａに挿入し、上下２段の商品陳列棚３を互いに係止する。同様にして、３段目及び４段目の商品陳列棚３を組み立て、２段目の商品陳列棚３の上に３段目の商品陳列棚３を積み重ね、２段目の商品陳列棚３の突起部３６を、３段目の商品陳列棚３の第１係止穴３５ａに挿入し、２段目と３段目の商品陳列棚３を係止する。そして３段目の商品陳列棚３の上に４段目の商品陳列棚３を積み重ね、３段目の商品陳列棚３の突起部３６を、４段目の商品陳列棚３の第１係止穴３５ａに挿入し、３段目と４段目の商品陳列棚３を係止する。これにより、トレイ２を３個並べることができ且つ上下４段、然も雛壇状に積み重ねられた商品陳列用什器１の商品陳列棚３が完成する。
【００４３】
商品陳列棚３を雛壇状に重ねることが完成すると、商品陳列棚３にトレイ２が装着され、最下段の商品陳列棚３に足場４０が取り付けられる。トレイ２には、予め同一銘柄の複数のたばこ箱Ｐが前後一列に整列されて列の前方に向かって付勢された状態で収容されている。各トレイ２は、一対の側壁部材３１、３１の前部間及び後部間に介装された連結部材４１の間に亘って架け渡されるように、これら２本の連結部材４１の上にトレイ本体１１が載せられる。そして、連結部材４１の一部がトレイ本体１１の係合部１４に入り込み、連結部材４１に係合される。
【００４４】
図４は、図３において最下段の商品陳列棚３の取り付ける一対の足場４０、４０の斜視図である。この足場４０は細長い長方形状であり、最下段の商品陳列棚３に設けられた第１係止穴３５ａ、第２係止穴３５ｂ、第３係止穴３５ｃの何れか一つの係止穴に挿入可能な突起部４１が設けられており、側壁部材３１に着脱可能に構成されている。この突起部４１は、商品陳列棚３の側壁部材３１に設けられた突起部３６と同一形状であって、突起部３６に形成された曲率と同じ曲率を有している。足場４０の前後方向の長さは、雛壇状に構成した複数の商品陳列棚の最下段の商品陳列棚３の前端から最上段の商品陳列棚３の後端までの水平方向の距離に略等しい。そして、剛性を保つように、突起部４１が形成された縁と相対する縁には折り曲げ部４２が形成されて、断面Ｌ字型の形状を有している。従って、この足場４０が最下段の商品陳列棚３に取り付けられることにより、最上段の商品陳列棚３が倒れることが防止される。なお、この足場４０は、長さが変えられるように伸縮自在に構成しても良い。そして、陳列する商品や商品陳列棚３の大きさ等により、必要に応じて取り付けることができ、転倒等の心配がない場合には取り付ける必要はない。
【００４５】
上記商品陳列用什器１によれば、商品陳列棚３の一対の側壁部材３１、３１に第１係止穴３５ａを設け、また一対の側壁部材３１、３１にその係止穴３５に挿入する突起部３６を設け、突起部３６と第１係止穴３５ａの水平方向の一をずらしたので、商品陳列棚３を雛壇状に組み立てることが可能である。従って、商品陳列棚３を垂直に段積みした場合のように、下段の商品陳列棚３の商品が見難い、取り出し難いという問題は解消され、商品の売り上げが増加するといった効果を発揮する。
【００４６】
なお、本考案は、上述の実施の形態に限定されるものではなく、本考案の趣旨を逸脱しない範囲で種々の変更が可能である。例えば、上述の実施の形態では、商品の例としてたばこ箱Ｐの場合を説明したが、清涼飲料水のボトルであっても良い。
【図面の簡単な説明】
【００４７】
【図１】本考案の商品陳列用什器の商品陳列棚の構成を説明する図である。
【図２】本考案の商品陳列用什器の商品収容器の構成を説明する図である。
【図３】本考案の商品陳列用什器の使用状態の一例を示す図である。
【図４】本考案の商品陳列用什器に使用する一対の足部の斜視図である。
【符号の説明】
【００４８】
１  商品陳列用什器
２  トレイ（商品収容器）
３  商品陳列棚
１１  トレイ本体
１４  係合部
３１  側壁部材
３５  係止穴
３６  突起部
４０  足部
４１  連結部材
Ｐ  たばこ箱（商品）
Ｋ  開口部
【図１】
0003139957.tif 000003
【図２】
0003139957.tif 000004
【図３】
0003139957.tif 000005
【図４】
0003139957.tif 000006